(57)【要約】【課題】視聴者に適切な休憩時間を確保させるとともに、視聴条件の反映された視聴と休憩の時間管理を行うことの可能なテレビジョンの提供を目的とする。【解決手段】テレビジョン１００の画面に映像の連続表示を許可する時間であるオン時間と、同オン時間が経過した後、画面に映像の再表示を許可するまでの時間であるオフ時間とを設定し、距離センサ３１の出力する距離情報と照度センサ３０の出力する照度情報とに基づいてオン時間とオフ時間との比率を補正し、画面に映像の表示が開始されてからオン時間が経過すると映像の表示を中止し、映像の表示が中止されてからオフ時間が経過すると映像の表示を開始する。【選択図】図１３
2007228475.tif 000002
【特許請求の範囲】
【請求項１】
映像信号が入力され、当該映像信号に対応する映像を画面に表示する映像表示回路と、
情報を書き換え可能な半導体メモリと、
所定のフォーマットで表現した無線信号を受信して対応する電圧信号を生成する無線信号受信部と、
操作を受け付ける複数のキーと、上記無線信号を上記無線信号受信部に向けて送信する無線信号送信部とを有し、同複数のキーの操作に応じた無線信号を所定のフォーマットで送出するリモコンと、
上記映像表示回路と上記半導体メモリとを制御可能であるとともに、上記電圧信号を受信して同電圧信号に対応する処理を実行するマイコンと
を備えるテレビジョンにおいて、
視聴者との距離を測定して距離情報を出力する距離センサと、
設置場所の照度を測定して照度情報を出力する照度センサと
を備え、
上記半導体メモリには、
上記画面に映像の連続表示を許可する時間であるオン時間と、上記オン時間が経過したのちに上記画面に映像の再表示を許可するまでの時間であるオフ時間と、上記オン時間と上記オフ時間の比率を上記照度情報に基づいて補正するか否か表す照度設定と、上記比率を上記距離情報に基づいて補正するか否かを表す距離設定と、上記距離情報および上記照度情報に関連付けて作成されるテーブルとが記憶され、
上記マイコンは、
上記半導体メモリより上記オン時間と上記オフ時間と上記距離設定と上記照度設定とを取得し、
上記照度設定が、上記照度情報に基づいて補正するとなっている場合は、
上記照度センサより照度情報を取得し、上記テーブルに基づいて、同距離情報が所定の視聴適正距離よりも小さいと、上記距離情報の減少に応じて上記比率おける上記オン時間の割合を次第に減少させる補正を行い、
上記距離設定が、上記距離情報に基づいて補正するとなっている場合は、
上記距離センサより距離情報を取得し、上記テーブルに基づいて、同照度情報が所定の視聴適正照度よりも小さいと、上記照度情報の減少に応じて上記比率における上記オン時間の割合を次第に減少させる補正を行い、
上記画面に映像の表示が開始されてから上記オン時間が経過すると映像の表示を中止し、映像の表示が中止されてから上記オフ時間が経過すると映像の表示を開始し
上記リモコンより、上記オン時間と上記オフ時間と上記距離設定と上記照度設定とを設定する操作入力を受け付けて、設定された情報を上記半導体メモリに記憶させ、
上記リモコンより、所定の操作入力がなされると、上記オン時間と上記オフ時間と上記照度設定と上記距離設定とを表す情報を上記半導体メモリより取得して上記画面に表示させる
ことを特徴とするテレビジョン。
【請求項２】
所定の映像信号が入力されて画面に映像を表示するテレビジョンにおいて、
視聴者との距離を測定して距離情報を出力する距離センサと、
設置場所の照度を測定して照度情報を出力する照度センサと、
上記画面に映像の連続表示を許可する時間であるオン時間と、上記オン時間が経過した後、上記画面に映像の再表示を許可するまでの時間であるオフ時間とを設定する時間設定手段と、
上記距離情報と上記照度情報とに基づき、上記オン時間と上記オフ時間の比率を補正する時間補正手段を備え、
上記画面に映像の表示が開始されてから上記オン時間が経過すると映像の表示を中止し、映像の表示が中止されてから上記オフ時間が経過すると映像の表示を開始する
ことを特徴とするテレビジョン。
【請求項３】
上記距離情報および上記照度情報に関連付けて作成されるテーブルを記憶した記憶媒体を備え、
上記時間補正手段は、
上記テーブルに基づき、
上記距離情報が所定の視聴適正距離よりも小さいと、上記距離情報の減少に応じて上記比率おける上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う
ことを特徴とする上記請求項２に記載のテレビジョン。
【請求項４】
上記時間補正手段は、
上記距離情報および上記照度情報が変数となる所定の数式に基づき、
上記距離情報が所定の視聴適正距離よりも小さいと、上記距離情報の減少に応じて上記比率における上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う
ことを特徴とする上記請求項２に記載のテレビジョン。
【請求項５】
上記オフ時間に基づいて  上記オン時間の最大値が制限される
ことを特徴とする上記請求項２〜請求項４のいずれかに記載のテレビジョン。
【請求項６】
上記オン時間に基づいて、上記オフ時間の最小値が制限される
ことを特徴とする上記請求項２〜請求項５のいずれかに記載のテレビジョン。
【請求項７】
上記オフ時間は、上記オフ時間の最小値以下には設定できない
ことを特徴とする上記請求項２〜請求項６のいずれかに記載のテレビジョン。
【請求項８】
上記時間設定手段は、
上記照度情報に基づいた補正を上記比率に対して行うか否かの照度設定を設定可能であるとともに、上記距離情報に基づいた補正を上記比率に対して行うか否かの距離設定を設定可能であり、
上記テレビジョンは、
上記照度設定と上記距離設定と上記オン時間と上記オフ時間との設定状態を表示する設定状態表示手段を備える
ことを特徴とする上記請求項２〜請求項７のいずれかに記載のテレビジョン。
【発明の詳細な説明】
【技術分野】
【０００１】
本発明は、過度の視聴による視力の低下を防止可能なテレビジョンに関する。
【背景技術】
【０００２】
最近、休憩無しでテレビを見続けたり、視聴時にテレビジョンに近づきすぎたり、部屋の明るさが十分でなかったりすることにより、近視や乱視になる子供が多くなっている。一般に、このような課題に対処するには、親が注意したり、子供に約束させたりといった方法が採られていたが、子供によっては言うことを聞かなかったり、つい約束の時間を超過してしまったり、と十分な効果を発揮しないことがあった。
【０００３】
このような現状に鑑み、特許文献１には、子供の見すぎを防止することを目的として、タイマー機能を用いて予め設定した時間を過ぎると電源をオフするとともに、自動的に電源がオフされた後、手動にて電源が再投入されても視聴を継続できないようにしたテレビジョン受像機および表示制限方法について開示されている。
【０００４】
また、特許文献２には、テレビジョン受像機に人位置検出部および部屋の明るさを検出する光検出部を設け、近距離や暗い部屋での視聴を制限する機能を付加したテレビジョン受像機について開示されている。
【０００５】
そして、特許文献３には、子供のテレビの見すぎを防止することを目的として、タイマー機能を用いて予め設定した時間を過ぎると電源をオフするとともに、タイマーによるオフ後に手動でオンしてしまう場合も考慮し、トータルでの送だ時間でも視聴を制限する、動作時間制限機能を有する電気機器について開示されている。
【０００６】
さらに、特許文献４には、子供のテレビの見すぎを防止することを目的として、リモコンのタイマー機能を用いて予め設定した時間を過ぎると電源をオフするとともに、電源コンセントの抜き差しを行っても電源オフ状態を解除できないテレビジョン装置について開示されている。
【０００７】
また、特許文献５には、子供のテレビの見すぎを防止することを目的として、タイマー設定機能を持たせるとともに、タイマー設定に暗証番号入力が必要とし、さらに、電源コンセントの抜き差しによるリセットに対処する為にＡＣプラグをＡＣコンセントに挿入するとプラグとコンセントとがロックされる電源制御装置について開示されている。
【特許文献１】特開２００４−２３５９２０
【特許文献２】特開２００４−１２００４９
【特許文献３】実開昭６２−７４４５３
【特許文献４】実開平３−１１３５６８
【特許文献５】特開平８−２３３９６３
【発明の開示】
【発明が解決しようとする課題】
【０００８】
上述した特許文献１〜５に記載の技術は、タイマにて視聴を制限するのみであった。
また特許文献２に記載のテレビジョン受像機は、人位置検出部と光検出部とを備えているが、これら検出部にて検出された情報は、画面上に警告として表示されたり、視聴条件を守らない場合の電源オフに使用されるのみであった。
【０００９】
本発明は、上記課題にかんがみてなされたもので、視聴者に適切な休憩時間を確保させるとともに、視聴条件の反映された視聴と休憩の時間管理を行うことにより、過度の視聴による視力の低下を防止可能なテレビジョンの提供を目的とする。
【課題を解決するための手段】
【００１０】
上記課題を解決するために、本発明の請求項１にかかる発明では、映像信号が入力され、当該映像信号に対応する映像を画面に表示する映像表示回路と、情報を書き換え可能な半導体メモリと、所定のフォーマットで表現した無線信号を受信して対応する電圧信号を生成する無線信号受信部と、操作を受け付ける複数のキーと、上記無線信号を上記無線信号受信部に向けて送信する無線信号送信部とを有し、同複数のキーの操作に応じた無線信号を所定のフォーマットで送出するリモコンと、上記映像表示回路と上記半導体メモリとを制御可能であるとともに、上記電圧信号を受信して同電圧信号に対応する処理を実行するマイコンとを備えるテレビジョンにおいて、視聴者との距離を測定して距離情報を出力する距離センサと、設置場所の照度を測定して照度情報を出力する照度センサとを備え、上記半導体メモリには、上記画面に映像の連続表示を許可する時間であるオン時間と、上記オン時間が経過したのちに上記画面に映像の再表示を許可するまでの時間であるオフ時間と、上記オン時間と上記オフ時間の比率を上記照度情報に基づいて補正するか否か表す照度設定と、上記比率を上記距離情報に基づいて補正するか否かを表す距離設定と、上記距離情報および上記照度情報に関連付けて作成されるテーブルとが記憶され、上記マイコンは、上記半導体メモリより上記オン時間と上記オフ時間と上記距離設定と上記照度設定とを取得し、上記照度設定が、上記照度情報に基づいて補正するとなっている場合は、上記照度センサより照度情報を取得し、上記テーブルに基づいて、同距離情報が所定の視聴適正距離よりも小さいと、上記距離情報の減少に応じて上記比率おける上記オン時間の割合を次第に減少させる補正を行い、上記距離設定が、上記距離情報に基づいて補正するとなっている場合は、上記距離センサより距離情報を取得し、上記テーブルに基づいて、同照度情報が所定の視聴適正照度よりも小さいと、上記照度情報の減少に応じて上記比率における上記オン時間の割合を次第に減少させる補正を行い、上記画面に映像の表示が開始されてから上記オン時間が経過すると映像の表示を中止し、映像の表示が中止されてから上記オフ時間が経過すると映像の表示を開始し上記リモコンより、上記オン時間と上記オフ時間と上記距離設定と上記照度設定とを設定する操作入力を受け付けて、設定された情報を上記半導体メモリに記憶させ、上記リモコンより、所定の操作入力がなされると、上記オン時間と上記オフ時間と上記照度設定と上記距離設定とを表す情報を上記半導体メモリより取得して上記画面に表示させる構成としてある。
【００１１】
また、上記目的を達成するために、請求項２に記載のテレビジョンでは、所定の映像信号が入力されて画面に映像を表示するテレビジョンにおいて、視聴者との距離を測定して距離情報を出力する距離センサと、設置場所の照度を測定して照度情報を出力する照度センサと、上記画面に映像の連続表示を許可する時間であるオン時間と、上記オン時間が経過した後、上記画面に映像の再表示を許可するまでの時間であるオフ時間とを設定する時間設定手段と、上記距離情報と上記照度情報とに基づき、上記オン時間と上記オフ時間の比率を補正する時間補正手段を備え、上記画面に映像の表示が開始されてから上記オン時間が経過すると映像の表示を中止し、映像の表示が中止されてから上記オフ時間が経過すると映像の表示を開始する構成としてある。
上記のように構成した請求項２にかかる発明において、上記時間設定手段がオン時間とオフ時間とを設定し、上記時間補正手段が上記距離センサの出力する距離情報と上記照度センサの出力する照度情報とに基づいて上記オン時間とオフ時間との比率を補正し、テレビジョンはオン時間の間オンされて映像を画面に表示し、オン時間経過するとオフ時間の間オフされて映像を画面に表示しない。
【００１２】
そして、請求項３にかかる発明では、上記請求項２に記載のテレビジョンにおいて、上記距離情報および上記照度情報に関連付けて作成されるテーブルを記憶した記憶媒体を備え、上記時間補正手段は、上記テーブルに基づき、上記距離情報が所定の視聴適正距離よりも小さいと、上記距離情報の減少に応じて上記比率おける上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う構成としてある。
【００１３】
上記記憶媒体としては、ＳＤＲＡＭなどの情報を書き換え可能な半導体メモリや、バッテリによりバックアップされたＲＡＭ、ハードディスク等の磁気記憶媒体、等を用いることができる。
【００１４】
さらに、請求項４にかかる発明では、上記請求項２に記載のテレビジョンにおいて、上記時間補正手段は、上記距離情報および上記照度情報が変数となる所定の数式に基づき、上記距離情報が所定の視聴適正距離よりも小さいと、上記距離情報の減少に応じて上記比率における上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う構成としてある。
【００１５】
また、請求項５にかかる発明は、上記請求項２〜請求項４のいずれかに記載のテレビジョンにおいて、上記オフ時間に基づいて上記オン時間の最大値が制限される構成としてある。
【００１６】
そして、請求項６にかかる発明は、上記請求項２〜請求項５のいずれかに記載のテレビジョンにおいて、上記オン時間に基づいて、上記オフ時間の最小値が制限される構成としてある。
【００１７】
さらに、請求項７にかかる発明は、上記請求項２〜請求項６のいずれかに記載のテレビジョンにおいて、上記オフ時間は、上記オフ時間の最小値以下には設定できない構成としてある。
【００１８】
また、請求項８にかかる発明は、上記請求項２〜請求項７のいずれかに記載のテレビジョンにおいて、上記時間設定手段は、上記照度情報に基づいた補正を上記比率に対して行うか否かの照度設定を設定可能であるとともに、上記距離情報に基づいた補正を上記比率に対して行うか否かの距離設定を設定可能であり、上記テレビジョンは、上記照度設定と上記距離設定と上記オン時間と上記オフ時間との設定状態を表示する設定状態表示手段を備える構成としてある。
【発明の効果】
【００１９】
以上説明したように本発明によれば、視聴者に、連続して長時間視聴せずに適切な休憩時間を自動的に確保させるとともに、視聴時のテレビジョンからの距離や部屋の明るさなどの状況に応じて、自動的に時間の修正を行うため、視聴者の視力の悪化を防止することが可能なテレビジョンを提供することができる。特に子供などの、視聴時間を自己管理できない視聴者に適切な休憩を与えることができ、視力の保護に繋がる。
【００２０】
また請求項３にかかる発明によれば、視聴者が、適正な距離よりも近くでテレビジョンの視聴を行うと、連続して視聴可能な時間を少なくしたり、休憩時間を長くしたりすることにより、適切な休憩時間を視聴者に確保させることが可能なテレビジョンを提供することが可能となる。
そして請求項４にかかる発明によれば、視聴者が、適正な距離よりも近くでテレビジョンの視聴を行うと、連続して視聴可能な時間を少なくしたり、休憩時間を長くしたりすることにより、適切な休憩時間を視聴者に確保させることが可能なテレビジョンを提供することが可能となる。
さらに請求項５にかかる発明によれば、休憩時間を短く設定すると、連続して視聴可能な時間も短くなるため、意図的に休憩時間を短く設定できず、視聴者の視力を保護することの可能なテレビジョンを提供することが可能となる。
また請求項６にかかる発明によれば、連続して視聴可能な時間を意図的に長く設定しても、休憩時間も長くなるため、視聴者の視力を保護することの可能なテレビジョンを提供することが可能となる。
【００２１】
そして、請求項７にかかる発明によれば、最低限の休憩時間を必ず確保させることにより、視聴者の視力を保護することの可能なテレビジョンを提供することができる。
また、請求項８にかかる発明によれば、現在の連続して視聴可能な時間と、休憩時間と、距離センサによる制限のオンオフ状況と、照度センサによる制限のオンオフ状況とを一目で把握できるテレビジョンを提供することが可能となる。
さらに請求項１のような、より具体的な構成において、上述した請求項２〜請求項８の各発明と同様の作用を奏することはいうまでもない。
【発明を実施するための最良の形態】
【００２２】
以下、下記の順序に従って本発明の実施形態を説明する。
（１）テレビジョンの概略構成：
（２）見すぎ防止設定の設定処理：
（３）見すぎ防止設定実行時の処理：
（４）まとめ：
【００２３】
（１）テレビジョンの概略構成： 
図１は、本願発明の実施形態にかかるテレビジョン（映像出力装置）１００の構成の概略を示している。同図に示すように、テレビジョン１００は、テレビジョン本体５０とリモコン（リモートコントロール装置）６０とを備える。本実施形態のテレビジョン本体５０は、アンテナ１０と、チューナ回路１１と、記憶媒体としての半導体メモリ１２と、無線信号受信部１４と、マイコン１５と、低周波出力回路２１と、ＩＩＣバス２７と、スピーカー２８、および映像表示回路である映像増幅・クロマ回路１３と、映像出力回路２２と、垂直偏向回路２３と、水平偏向回路２４と、高圧回路２５と、偏向コイル２６と、受像管２９と、照度センサ３０と、距離センサ３１とを備えている。
【００２４】
本テレビジョン１００の回路には汎用的なシリアル通信バスであるＩＩＣバス２７が設けられ、ＩＩＣバス２７に接続された各部１１，１２，１３，１５が所定の通信プロトコルに従って互いにデータの送受信を行うようにされている。
【００２５】
マイコン１５は、発振回路ＣＬＫや無線信号受信部１４が直接接続されており、内部に、ＣＰＵ１６、ＲＯＭ１７、ＲＡＭ１８、Ｉ／Ｏ回路１９、ＯＳＤ（オンスクリーンディスプレイ）回路２０を備えている。ＯＳＤ回路２０は、映像増幅・クロマ回路１３に接続され、受像管２９の画面にＯＳＤ表示する画像を表すＯＳＤ信号を生成し映像信号に重畳する。
【００２６】
そして、マイコン１５は、ＣＰＵ１６の制御により、無線信号受信部１４から電圧信号を入力して対応するキー操作を検知するとリモコン６０からの操作入力を受け付け、受け付けた操作入力に対応した処理を実行する。また、照度センサ３０と距離センサ３１とを所定のプログラムにて制御可能であり、テレビジョン１００の設置場所の照度を表す照度情報や、テレビジョン１００と視聴者との距離を表す距離情報を取得することができる。
【００２７】
また、マイコン１５は操作項目を画面に表示させるＯＳＤ信号を生成し、受像管２９の画面に表示された操作項目の中からいずれかを選択する操作入力をリモコン６０から受け付けるとともに、選択された操作項目に対応する設定処理を実行する。なお、本実施形態では受像管から映像を出力するテレビジョンを例に取り上げて説明するが、本発明の映像出力装置には、液晶パネルから映像を出力する液晶テレビジョンやプラズマディスプレイから映像を出力するプラズマテレビジョン等も考えられる。
【００２８】
チューナ回路１１は、マイコン１５の制御により、アンテナ１０を介してテレビ放送帯域に対応した所望周波数のテレビジョン信号を受信するとともに、この受信したテレビジョン信号から所要の信号だけを選択して高周波増幅し、中間周波信号に変換して出力する。チューナ回路１１から出力された中間周波信号が映像増幅・クロマ回路１３に供給されると、映像増幅・クロマ回路１３は、マイコン１５からの制御データに基づいて、中間周波信号に各種の信号処理を施すことにより、ＲＧＢ（赤、緑、青）で表現される映像信号（ＲＧＢ信号）、同期信号および音声信号を復元する。
【００２９】
復元された映像信号（ＲＧＢ信号）は、映像出力回路２２に出力され、対応する色成分にかかる電子ビームを各電子銃から蛍光面スクリーンに向けて照射させる。また、復元された同期信号は、所定の信号処理が施された後、偏向駆動信号として高圧回路２５に出力され、電圧変換を施した後に受像管２９に出力され、照射された電子ビームを偏向させる。さらに、復元された音声信号は、低周波出力回路２１を経て、スピーカー２８に出力される。
【００３０】
リモコン６０は操作を受け付ける複数のキーと、上記無線信号を無線信号受信部１４に向けて送信する無線信号送信部６５とを有し、同複数のキーの操作に応じた無線信号を所定のフォーマットで送出する。例えば、図２に図示するリモコン６０を用いて所望のチャンネルを受信させるべく操作すると、無線信号送信部６５より対応する無線信号が送出される。そして、マイコン１５が無線信号受信部１４を介して同無線信号を受信し、対応するチャンネルを受信させるように周波数データをチューナ回路１１に送出する。
【００３１】
またリモコン６０はテンキー６３、音量調節キー６２ａ，６２ｂ、上下左右カーソル移動キー６１ａ，６１ｂ，６１ｃ，６１ｄ、カーソル選択キー６１ｅ、メニューキー６４を備えている。なお、マイコンには、ＯＳＤ回路２０が備えられており、ＯＳＤ回路２０は、ＣＰＵ１６からの制御指示に基づいて各種表示に対応するＯＳＤ信号を生成するとともに、このＯＳＤ信号を映像信号に重畳して出力端子に供給する。
【００３２】
照度センサ３０は、可視光を検知するセンサであり、硫化カドミウム光導電セルやシリコンフォトダイオードなどが使用され、テレビジョン１００の画面照度の影響を受けにくく、且つ照明の照度を正確に検出し易い、例えば筐体上部に設けられ、マイコン１５から入力される照度検出指令に基づいて、テレビジョン１００が設置されている場所の照度を測定し、マイコン１５に照度情報を表す信号を出力する。
【００３３】
距離センサ３１は、たとえば超音波を使用する超音波センサが使用され、超音波を発生する発信部と、同発信部から発せられ、視聴者に反射して戻ってくる超音波を受信する受信部とを備える。そして、マイコン１５から入力される距離検出指令に基づいて、発信部から超音波を発信し、発せられた超音波が受信部により受信されるまでの時間から、視聴者までの距離を測定し、マイコン１５に距離情報を表す信号を出力する。
【００３４】
（２）見すぎ防止設定の設定処理： 
図３に所定の階層構造で階層化された操作項目の一例を示す。リモコン６０のメニューキー６４が押し下げ操作されたときテレビジョン１００の画面に最初に表示されるメインメニューには、操作項目を大きく分類した操作項目である、「画質」、「音質」、「チャンネル設定」、「見すぎ防止設定」、などが表示されるメニューブロックを表示する。次に大きく分類した操作項目をリモコン６０にて選択入力するとサブメニューのメニューブロックが画面に表示される。
【００３５】
例えばメインメニューで「見すぎ防止設定」を選択入力したときは、サブメニューにおいて、「戻る」、「現在の設定」、「設定開始」、「見すぎ防止設定の適用」などの操作項目が表示される。操作項目「現在の設定」を選択入力すると、見すぎ防止設定における各設定値の現在の設定状況が表示され、「設定開始」を選択入力すると、見すぎ防止設定の各設定値を設定することができ、「見すぎ防止設定の適用」を選択入力すると、見すぎ防止設定を適用する（オン）か否（オフ）かを設定することが出来る。
【００３６】
メニューキー６４が押し下げ操作されると、マイコン１５は、メインメニューの操作項目全てを表す情報に基づいて当該操作項目の一覧を操作項目のいずれかの位置に対応させたカーソルとともにＯＳＤ表示させるＯＳＤ信号をＯＳＤ回路２０に生成させ、映像増幅・クロマ回路１３からの映像信号に当該生成したＯＳＤ信号を重畳し、ＯＳＤ信号を重畳した映像信号を映像増幅・クロマ回路１３に対して供給する。すると、映像増幅・クロマ回路１３にてＯＳＤ信号を重畳した映像信号に対応するＲＧＢ信号が生成され、受像管２９にて同ＲＧＢ信号に対応する映像が画面に表示される。
【００３７】
ここで、映像信号にＯＳＤ信号が重畳されているので、テレビジョン１００の画面にはカーソルとともに操作項目の一覧が表示される。このとき、ユーザーはこのメニュー画面に従ってリモコン６０に配置された操作キーを押し下げ操作することで操作項目の選択入力を行うことができる。そこで、マイコン１５は、無線信号受信部１４から電圧信号を入力して対応するキー操作を検知することにより、リモコン６０から操作入力を受け付ける。ここで、上下左右カーソル移動キー６１ａ，６１ｂ，６１ｃ，６１ｄの操作を検知した場合、カーソルを上下左右に移動させる。
【００３８】
そして、カーソル移動キー６１ａ，６１ｂ，６１ｃ，６１ｄにてカーソルを「見すぎ防止設定」にあわせてカーソル選択キー６１ｅを押し下げ操作すると、マイコン１５は半導体メモリ１２から「見すぎ防止設定」のサブメニューの操作項目全てを表す情報をＲＯＭ３４ａよりより取得し、メインメニューと同様にテレビジョン１００の画面にカーソルとともに操作項目の一覧を表示させる。
【００３９】
以上より、「現在の設定」を上記画面に表示させるマイコン１５が、上記照度設定と上記距離設定と上記オン時間と上記オフ時間との設定状態を表示する設定状態表示手段を構成する。
【００４０】
ユーザがカーソル移動キー６１ａ，６１ｂ，６１ｃ，６１ｄおよびカーソル選択キー６１ｅの押し下げ操作を行い、「現在の設定」の操作項目の選択入力を行うと、マイコン１５は半導体メモリ１２の所定のアドレスより、オン時間を表す情報と、オフ時間を表す情報と、同オン時間と同オフ時間とが照度情報により補正されるか否かを表す情報（照度設定）と、同オン時間と同オフ時間とが距離情報により補正されるか否かを表す情報（距離設定）とを取得して、取得した情報に基づいてＯＳＤ信号を生成し、映像信号に重畳して画面に表示させる。
【００４１】
図４に「現在の設定」の設定値の表示された画面の一例を示した。同図において、オン時間は３０分、オフ時間は１０分、照度設定と距離設定とはともにＯＮとなっている。すなわち、見すぎ防止設定が実行されると、オン時間とオフ時間との比率が、距離情報と照度情報とに基づいて補正される状態となっている。
【００４２】
オン時間とオフ時間との比率は、距離情報が所定の視聴適正距離（例えば３ｍなど）よりも小さいと、距離情報の減少に応じて当該比率おけるオン時間の割合を次第に減少させる補正を行うとともに、照度情報が所定の視聴適正照度（例えば３００ｌｘなど）よりも小さいと、照度情報の減少に応じて当該比率におけるオン時間の割合を次第に減少させる補正を行う。本実施例においては、オフ時間に対するオン時間の割合を増減する補正を行うことによって、オン時間とオフ時間との比率を補正する構成としたが、むろんオン時間に対するオフ時間の割合を増減して補正を行っても構わない。
【００４３】
オン時間を照度情報と距離情報とにより補正する方法として、距離情報および照度情報に関連付けて作成されるテーブルにて行う方法が考えられる。オン時間が、テーブルによってどのように補正されるかを図１０のテーブルを参照して説明する。同図では、テレビジョンの視聴適正距離を２〜３ｍ、視聴適正照度を３００ｌｘ（ルクス）としてあり、距離と照度とが適正であるとき、設定されているオン時間がそのまま使用される。一方、視聴適正距離よりも距離が近いと、距離の減少に対応して、設定されているオン時間よりも実際のオン時間を少なくする。同様に、視聴適正照度よりも照度が低いと、照度の減少に応じて、設定されているオン時間を実際のオン時間よりも少なくする。
【００４４】
具体的には、設定されているオン時間が３０分のとき、照度が３００ｌｘ以上で距離が１ｍ以内であれば、オン時間を１／３の１０分に補正し、照度が３００ｌｘ以下で距離が２〜３ｍであれば、オン時間を１／２の１５分に補正する。また、適正視聴距離よりも距離が遠い場合は、逆に視聴時間を延ばしてもよく、例えば、照度が３００ｌｘ以上で距離が３ｍ以上であると、オン時間を４／３の４０分とするなどである。
【００４５】
また、オン時間の補正の仕方としては、距離情報が所定の視聴適正距離よりも小さいと距離情報の減少に対応して次第に減少するとともに、照度情報が所定の視聴適正照度よりも小さいと照度情報の減少に対応して次第に減少する所定の数式にて与えられることも可能である。例えば、図１１のように、適正視聴距離（３ｍ）以上のときに１であり、距離の減少に伴い１から次第に減少する変数ｘと、図１２のように視聴適正照度（３００ｌｘ）以上のときに１であり、照度の減少に応じて１から次第に減少する変数ｙと、設定されたオン時間ｔ０とにより、オン時間ｔを、ｔ＝ｔ０×ｘ×ｙ、のように補正して与える数式が考えられる。
【００４６】
以下、図７および図８を参照して「見すぎ防止設定」の設定を行うマイコンの処理について説明する。
ユーザがカーソル移動キー６１ａ，６１ｂ，６１ｃ，６１ｄおよびカーソル選択キー６１ｅの押し下げ操作を行い、「設定開始」の操作項目の選択入力を行うと、まずステップＳ１０にて半導体メモリ１２の所定のアドレスに格納されたオン時間を表す情報を取得してＲＡＭ１８に一時的に格納する。そしてステップＳ１５で、同情報に基づいて、図５のように、オン時間の位置に合わせて表示されるスライダのＯＳＤ情報を生成し、ＯＳＤ表示させる。同図は、オン時間を設定するためのＯＳＤが表示された画面であり、現在のオン時間は文字でスライダの下にも表示され、スライダが上に行くほどオン時間が長くなり、下に行くほど短くなる。むろんスライダでなく、数値を表示してもよいし、離散的な複数の値を予め表示しておき、それらの中から選択する構成としても構わない。
【００４７】
ステップＳ２０では、リモコン６０からの操作入力を受け付け、リモコンの上下カーソル移動キーの押し下げ操作を検知すると、ＲＡＭ１８上のオン時間を表す情報を変更するとともに、同情報に基づいてＯＳＤ信号を再生成し映像信号に重畳する。そしてステップＳ２５では、カーソル選択キー６１ｅのキー操作を検知すると、カーソル選択キー６１ｅのキー操作を検知した時点でのＲＡＭ１８上のオン時間を表す情報を半導体メモリ１２の所定のアドレスに格納してオン時間の設定を終了する。
【００４８】
ユーザは上下カーソル移動キー６１ａ，６１ｃを操作して、スライダを上下させることにより、オン時間を変更することができる。そして、カーソル選択キー６１ｅの押し下げ操作を行うことにより、押し下げ操作を行った時点でスライダが表示されている位置のオン時間を設定することが出来る。
【００４９】
ステップＳ３０では、オフ時間を表す情報を、半導体メモリ１２の所定のアドレスから取得して、ＲＡＭ１８に一時的に格納する。そして、ステップＳ３５で、ステップＳ２５で取得したオフ時間を表す情報が、ステップＳ２０で半導体メモリ１２に格納されたオン時間に対応する最小のオフ時間よりも、大きいか否かを判断する。最小のオフ時間以上の場合は、条件成立としてステップＳ４５に進み、最小のオフ時間よりも小さい場合は、条件不成立としてステップＳ４０に進む。
【００５０】
つまり、図９に示すように、あるオン時間が設定されたときに設定可能なオフ時間は、最小のオフ時間よりも長くなければならない。すなわち、オン時間に基づいて、オフ時間の最小値が制限される。なお、各オン時間に対応する最小のオフ時間は、テーブルや計算式などとして半導体メモリ１２に記憶されているものとする。また、あるオフ時間が設定されたときに設定可能なオン時間として、最大のオン時間が設定される構成としても構わない。この場合、オフ時間に基づいて、オン時間の最大値が制限される。
【００５１】
ステップＳ４０に進むと、ステップＳ３０で取得したオフ時間の代わりに、ステップＳ２０で半導体メモリ１２に格納されたオン時間に対応する最小のオフ時間を格納する。すなわち、オフ時間は、各オン時間に対して最小値が設定されており、最小値を下回るオフ時間は設定できない。
【００５２】
ステップＳ４５では、ＲＡＭ１８に一時的に格納されたオフ時間を表す情報に基づいて、図６のように、オフ時間の位置に合わせて表示されるスライダのＯＳＤ情報を生成し、ＯＳＤ表示させる。同図は、オフ時間を設定するためのＯＳＤが表示された画面であり、現在のオフ時間は文字でスライダの下にも表示され、スライダを上下させることによりオフ時間が長くなったり短くなったりする。
【００５３】
ステップＳ５０では、リモコン６０からの操作入力を受け付け、リモコンの上下カーソル移動キーの押し下げ操作を検知すると、ＲＡＭ１８上のオフ時間を表す情報を変更するとともに、同情報に基づいてＯＳＤ信号を再生成し映像信号に重畳する。そして、カーソル選択キー６１ｅのキー操作を検知すると、ステップＳ５５で、カーソル選択キー６１ｅのキー操作を検知した時点でのＲＡＭ１８上のオン時間を表す情報が、上記最小のオフ時間よりも長いか否かを判断し、長いと判断されると条件成立としてステップＳ６０に進み、短いと判断されると条件不成立としてステップＳ５０に戻る。
【００５４】
ステップＳ５０で条件成立となり、ステップＳ６０に進むと半導体メモリ１２の所定のアドレスに、ステップＳ５０でカーソル選択キーの押し下げ操作を検知した時点でのＲＡＭ１８上のオフ時間を表す情報を半導体メモリ１２の所定のアドレスに格納してステップＳ６２に進む。
【００５５】
ステップＳ６２では、距離設定を表す情報を半導体メモリ１２の所定のアドレスより取得して、ＲＡＭ１８に一時的に格納する。そしてステップＳ６５では、「オン」、「オフ」などの操作項目とともにいずれかの操作項目に合わせたカーソルを画面にＯＳＤ表示させる。
【００５６】
ステップＳ７０では、リモコン６０のカーソル移動キーの押し下げ操作を検知するとカーソルを移動させ、カーソル選択キー６１ｅのキー操作を検知すると同キー操作を検知した時点でカーソルが合わせて表示されていた操作項目の選択入力を受け付けてステップＳ７５に進む。
【００５７】
ステップＳ７５では、ステップＳ７０で受け付けた操作項目に対応する「オン」「オフ」いずれかの情報を距離設定を表す情報として、半導体メモリ１２の距離設定を格納する所定のアドレスに格納する。
【００５８】
そして、ステップＳ７７では、照度設定を表す情報を半導体メモリ１２の所定のアドレスより取得して、ＲＡＭ１８に一時的に格納する。そしてステップＳ８０では、「オン」、「オフ」などの操作項目とともにいずれかの操作項目に合わせたカーソルを画面にＯＳＤ表示させる。
【００５９】
ステップＳ８５では、リモコン６０のカーソル移動キーの押し下げ操作を検知するとカーソルを移動させ、カーソル選択キー６１ｅのキー操作を検知すると同キー操作を検知した時点でカーソルが合わせて表示されていた操作項目の選択入力を受け付けてステップＳ９０に進む。
【００６０】
ステップＳ９０では、ステップＳ８５で受け付けた操作項目に対応する「オン」「オフ」いずれかの情報を照度設定を表す情報として、半導体メモリ１２の照度設定を格納する所定のアドレスに格納して当該処理を終了する。。
【００６１】
以上より、ステップＳ１０〜Ｓ９０の処理を行うマイコン１５が、上記画面に映像の連続表示を許可する時間であるオン時間と、上記オン時間が経過した後、上記画面に映像の再表示を許可するまでの時間であるオフ時間と、上記照度情報に基づいた補正を上記比率に対して行うか否かの照度設定と、上記距離情報に基づいた補正を上記比率に対して行うか否かの距離設定とを設定する時間設定手段を構成する。
【００６２】
（３）見すぎ防止設定実行時の処理： 
次に、図１３と図１４とを参照してテレビジョン１００の視聴が行われるときのマイコン１５の処理を説明する。図１３と図１４とにはマイコン１５の処理をフローチャートにて示してある。
テレビジョン１００の電源がオンとなり、処理が開始されるとステップＳ１００で、見すぎ防止設定が適用されるか否かを判断する。当該適用にかかる情報は半導体メモリ１２の所定のアドレスに格納されているものとする。設定されている場合は条件成立としてステップＳ１０５に進み、設定されていない場合は条件不成立として当該処理を終了するとともに見すぎ防止設定を行わない通常の映像表示を行う。そしてステップ１０５で、半導体メモリ１２の所定のアドレスより、オン時間を表す情報と、オフ時間を表す情報と、距離設定と、照度設定と、を取得してＲＡＭ１８に一時的に格納する。
【００６３】
ステップＳ１１０ではステップＳ１０５で取得した照度設定が、オン時間を補正する設定であるか否かを判断する。補正する設定の場合は条件成立としてステップＳ１１５に進み、補正しない設定の場合は条件不成立としてステップＳ１２０に進む。ステップＳ１１５に進むと、照度センサ３０に照度検出指令を出力し、テレビジョン１００が設置されている場所の照度を測定させるとともに照度情報を表す信号を生成・出力させ、同信号を受信してＲＡＭ１８に一時的に格納する。
【００６４】
ステップＳ１１０で条件不成立、もしくはステップＳ１１５を終了すると、ステップＳ１２０で、ステップＳ１０５で取得した距離設定が、オン時間を補正する設定であるか否かを判断する。補正する設定の場合は条件成立としてステップＳ１２５に進み、補正しない設定の場合は条件不成立としてステップＳ１３０に進む。条件成立となりステップＳ１２５に進むと、距離センサ３１に距離検出指令を出力して視聴者までの距離を測定させるとともに距離情報を表す信号を生成・出力させ、同信号を受信してＲＡＭ１８に一時的に格納する。
【００６５】
ステップＳ１３０では、ステップＳ１１５およびステップＳ１２５で取得した照度情報と距離情報、および上記テーブルもしくは上記数式を用いて、照度と距離とに基づいてオン時間を表す情報を補正し、ＲＡＭ１８に格納する。そしてステップＳ１３５にて、ステップＳ１００で取得したオフ時間とステップＳ１３０で補正されたオン時間とに基づいて、見すぎ防止設定にてテレビジョン１００の画面に映像の表示が開始される。
【００６６】
以上より、ステップＳ１０５〜Ｓ１３０の処理を行うマイコン１５が、上記距離情報が所定の視聴適正距離よりも小さいと、上記距離情報の減少に応じて上記比率おける上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う上記時間補正手段を構成する。
【００６７】
映像の表示が開始されるとステップＳ１４０で、見すぎ防止設定による映像の表示を終了する操作入力を受け付けたか否かを判断する。当該操作入力を受け付けたときは、条件成立として当該処理を終了して時間制限の無い通常の映像表示を行い、同操作入力を受け付けていないときは条件不成立としてステップＳ１４５に進む。本実施例における当該操作入力は、メニューから「見すぎ防止設定の適用」をオフとする操作入力が相当する。むろん、当該操作入力としては見すぎ防止設定のオンオフを切り替えるものであればいかなるものであってもよく、リモコン６０に見すぎ防止設定のオンオフを切り替えるボタンを設けて、当該ボタンの押し下げ操作で行っても構わない。
【００６８】
ステップＳ１４５では、テレビジョン１００の電源がオンとなってからの経過時間とステップＳ１３０でＲＡＭ１８に格納されたオン時間を表す情報とを比較し、電源がオンとなってからオン時間を経過しているか否かを判断する。経過している場合は条件成立としてステップＳ１５０に進み、テレビジョン１００の電源をオフして映像の表示を停止してステップＳ１５５に進む。一方、経過していない場合は条件不成立としてステップＳ１４０からの処理を繰り返す。
【００６９】
ステップＳ１５５では、見すぎ防止設定による映像の表示を終了する操作入力を受け付けたか否かを判断する。当該操作入力を受け付けたときは、条件成立として当該処理を終了して時間制限の無い通常の映像表示を行い、同操作入力を受け付けていないときは条件不成立としてステップＳ１６０に進む。
【００７０】
ステップＳ１６０では、ステップＳ１５０にてテレビジョン１００の電源がオフとなってからの経過時間とステップＳ１０５でＲＡＭ１８に格納されたオフ時間とを比較し、電源がオフとなってからオフ時間を経過しているか否かを判断する。経過している場合は条件成立としてステップＳ１６５へと進み、電源をオンしてテレビジョン１００の画面に映像表示を再開させてステップＳ１４０のからの処理を繰り返す。一方、経過していない場合は条件不成立としてステップＳ１５５からの処理を繰り返す。
【００７１】
以下、上記構成からなる本実施形態の動作を説明する。
ユーザがテレビジョン１００の電源を投入すると、マイコン１５が半導体メモリ１２の所定のアドレスより見すぎ防止設定の適用不適用を表す情報を取得して適用されるか否かを判断し（ステップＳ１００）、当該情報が不適用を表すときは映像を連続して表示する時間に制限の無い通常の映像表示が開始される。一方、当該情報が適用を表す時は、オン時間を表す情報と、オフ時間を表す情報と、照度設定を表す情報と、距離設定を表す情報と、を半導体メモリ１２の所定のアドレスより取得し、ＲＡＭ１８に保存する（ステップＳ１０５）。
【００７２】
照度設定がＯＮのときは、照度センサ３０にテレビジョン１００の設置されている場所の照度を測定させて照度情報を生成させ、当該照度情報を取得してＲＡＭ１８に格納する（ステップＳ１１０〜Ｓ１１５）。また、距離設定がＯＮのときは、距離センサ３１に視聴者とテレビジョン１００との距離を測定させて距離情報を生成させ、当該距離情報を取得してＲＡＭ１８に格納する。（ステップＳ１２０〜Ｓ１２５）
【００７３】
そして、照度情報と距離情報とから図１０のテーブルの基づいてオン時間を補正し、補正されたオン時間をＲＡＭ１８に格納する（ステップＳ１３０）。そして、オフ時間と補正されたオン時間とに基づいて、見すぎ防止設定による映像表示が開始される（ステップＳ１３５）。
【００７４】
映像表示が開始されてから、補正されたオン時間が経過するとテレビジョン１００の電源がオフされ（ステップＳ１４０〜Ｓ１５０）、さらにオフ時間が経過すると再びテレビジョン１００の画面に映像表示が行われる（ステップＳ１５５〜Ｓ１６５）。以降、補正されたオン時間の映像表示と、オフ時間の電源オフとを繰り返す。
【００７５】
なお、見すぎ防止設定による映像表示が行われている間は、メニュー項目を表示させ、「見すぎ防止設定の適用」をオフにすることにより、見すぎ防止設定による映像表示を中止しさせて時間制限の無い通常の映像表示を行わせることも可能である。
【００７６】
（４）まとめ： 
つまり、テレビジョン１００の画面に映像の連続表示を許可する時間であるオン時間と、同オン時間が経過した後、画面に映像の再表示を許可するまでの時間であるオフ時間とを設定し、距離センサ３１の出力する距離情報と照度センサ３０の出力する照度情報とに基づいてオン時間とオフ時間との比率を補正し、画面に映像の表示が開始されてからオン時間が経過すると映像の表示を中止し、映像の表示が中止されてからオフ時間が経過すると映像の表示を開始する。
【００７７】
以上説明したように、本実施例に対応する請求項２にかかるテレビジョンでは、所定の映像信号が入力されて画面に映像を表示するテレビジョンにおいて、視聴者との距離を測定して距離情報を出力する距離センサと、設置場所の照度を測定して照度情報を出力する照度センサと、上記画面に映像の連続表示を許可する時間であるオン時間と、上記オン時間が経過した後、上記画面に映像の再表示を許可するまでの時間であるオフ時間とを設定する時間設定手段と、上記距離情報と上記照度情報とに基づき、上記オン時間と上記オフ時間の比率を補正する時間補正手段を備え、上記画面に映像の表示が開始されてから上記オン時間が経過すると映像の表示を中止し、映像の表示が中止されてから上記オフ時間が経過すると映像の表示を開始する構成としてある。
つまり、上記時間設定手段がオン時間とオフ時間とを設定し、上記時間補正手段が上記距離センサの出力する距離情報と上記照度センサの出力する照度情報とに基づいて上記オン時間とオフ時間との比率を補正し、テレビジョンはオン時間の間オンされて映像を画面に表示し、オン時間経過するとオフ時間の間オフされて映像を画面に表示しない。
上記のように構成した請求項２に記載の発明においては、視聴者に、連続して長時間視聴せずに適切な休憩時間を自動的に確保させるとともに、視聴時のテレビジョンからの距離や部屋の明るさなどの状況に応じて、自動的に時間の修正を行うため、視聴者の視力の悪化を防止することが可能なテレビジョンを提供することができる。特に子供などの、視聴時間を自己管理できない視聴者に適切な休憩を与えることができ、視力の保護に繋がる。
【００７８】
そして、請求項３にかかる発明では、上記請求項２に記載のテレビジョンにおいて、上記距離情報および上記照度情報に関連付けて作成されるテーブルを記憶した記憶手段を備え、上記時間補正手段は、上記テーブルに基づき、上記距離情報が所定の視聴適正距離よりも小さいと、上記距離情報の減少に応じて上記比率おける上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う構成としてある。
【００７９】
上記記憶媒体としては、ＳＤＲＡＭなどの情報を書き換え可能な半導体メモリや、バッテリによりバックアップされたＲＡＭ、ハードディスク等の磁気記憶媒体、等を用いることができる。
上記のように構成した請求項３に記載の発明においては、視聴者が、適正な距離よりも近くでテレビジョンの視聴を行うと、連続して視聴可能な時間を少なくしたり、休憩時間を長くしたりすることにより、適切な休憩時間を視聴者に確保させることが可能なテレビジョンを提供することが可能となる。
【００８０】
さらに、請求項４にかかる発明では、上記請求項２に記載のテレビジョンにおいて、上記時間補正手段は、上記距離情報および上記照度情報が変数となる所定の数式に基づき、上記距離情報が所定の視聴適正距離よりも小さいと、上記距離情報の減少に応じて上記比率における上記オン時間の割合を次第に減少させる補正を行うとともに、上記照度情報が所定の視聴適正照度よりも小さいと、上記照度情報の減少に応じて上記比率における上記オン時間の割合を次第に減少させる補正を行う構成としてある。
上記のように構成した請求項４に記載の発明においては、視聴者が、適正な距離よりも近くでテレビジョンの視聴を行うと、連続して視聴可能な時間を少なくしたり、休憩時間を長くしたりすることにより、適切な休憩時間を視聴者に確保させることが可能なテレビジョンを提供することが可能となる。
【００８１】
また、請求項５にかかる発明では、上記請求項２〜請求項４のいずれかに記載のテレビジョンにおいて、上記オフ時間に基づいて上記オン時間の最大値が制限される構成としてある。
上記のように構成した請求項５に記載の発明においては、休憩時間を短く設定すると、連続して視聴可能な時間も短くなるため、意図的に休憩時間を短く設定できず、視聴者の視力を保護することの可能なテレビジョンを提供することが可能となる。
【００８２】
また、請求項６にかかる発明では、上記請求項２〜請求項５のいずれかに記載のテレビジョンにおいて、上記オン時間に基づいて、上記オフ時間の最小値が制限される構成としてある。
上記のように構成した請求項６に記載の発明においては、連続して視聴可能な時間を意図的に長く設定しても、休憩時間も長くなるため、視聴者の視力を保護することの可能なテレビジョンを提供することが可能となる。
【００８３】
また、請求項７にかかる発明では、上記請求項２〜請求項６のいずれかに記載のテレビジョンにおいて、上記オフ時間は、上記オフ時間の最小値以下には設定できない構成としてある。
上記のように構成した請求項７に記載の発明においては、最低限の休憩時間を必ず確保させることにより、視聴者の視力を保護することの可能なテレビジョンを提供することができる。
【００８４】
また、請求項８にかかる発明では、上記請求項２〜請求項７のいずれかに記載のテレビジョンにおいて、上記時間設定手段は、上記照度情報に基づいた補正を上記比率に対して行うか否かの照度設定を設定可能であるとともに、上記距離情報に基づいた補正を上記比率に対して行うか否かの距離設定を設定可能であり、上記テレビジョンは、上記照度設定と上記距離設定と上記オン時間と上記オフ時間との設定状態を表示する設定状態表示手段を備える構成としてある。
上記のように構成した請求項８に記載の発明においては、現在の連続して視聴可能な時間と、休憩時間と、距離センサによる制限のオンオフ状況と、照度センサによる制限のオンオフ状況とを一目で把握できるテレビジョンを提供することが可能となる。
【００８５】
以上の構成を踏まえた上で、請求項１の発明は映像信号が入力され、当該映像信号に対応する映像を画面に表示する映像表示回路と、情報を書き換え可能な半導体メモリと、所定のフォーマットで表現した無線信号を受信して対応する電圧信号を生成する無線信号受信部と、操作を受け付ける複数のキーと、上記無線信号を上記無線信号受信部に向けて送信する無線信号送信部とを有し、同複数のキーの操作に応じた無線信号を所定のフォーマットで送出するリモコンと、上記映像表示回路と上記半導体メモリとを制御可能であるとともに、上記電圧信号を受信して同電圧信号に対応する処理を実行するマイコンとを備えるテレビジョンにおいて、視聴者との距離を測定して距離情報を出力する距離センサと、設置場所の照度を測定して照度情報を出力する照度センサとを備え、上記半導体メモリには、上記画面に映像の連続表示を許可する時間であるオン時間と、上記オン時間が経過したのちに上記画面に映像の再表示を許可するまでの時間であるオフ時間と、上記オン時間と上記オフ時間の比率を上記照度情報に基づいて補正するか否か表す照度設定と、上記比率を上記距離情報に基づいて補正するか否かを表す距離設定と、上記距離情報および上記照度情報に関連付けて作成されるテーブルとが記憶され、上記マイコンは、上記半導体メモリより上記オン時間と上記オフ時間と上記距離設定と上記照度設定とを取得し、上記照度設定が、上記照度情報に基づいて補正するとなっている場合は、上記照度センサより照度情報を取得し、上記テーブルに基づいて、同距離情報が所定の視聴適正距離よりも小さいと、上記距離情報の減少に応じて上記比率おける上記オン時間の割合を次第に減少させる補正を行い、上記距離設定が、上記距離情報に基づいて補正するとなっている場合は、上記距離センサより距離情報を取得し、上記テーブルに基づいて、同照度情報が所定の視聴適正照度よりも小さいと、上記照度情報の減少に応じて上記比率における上記オン時間の割合を次第に減少させる補正を行い、上記画面に映像の表示が開始されてから上記オン時間が経過すると映像の表示を中止し、映像の表示が中止されてから上記オフ時間が経過すると映像の表示を開始し上記リモコンより、上記オン時間と上記オフ時間と上記距離設定と上記照度設定とを設定する操作入力を受け付けて、設定された情報を上記半導体メモリに記憶させ、上記リモコンより、所定の操作入力がなされると、上記オン時間と上記オフ時間と上記照度設定と上記距離設定とを表す情報を上記半導体メモリより取得して上記画面に表示させる構成としてある。
【００８６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８７】
【図１】テレビジョンの概略構成ブロック図である。
【図２】リモコンの一例を示す斜視図である。
【図３】メニュー構造の一例を示したブロック図である。
【図４】設定状態表示画面の一例を示す図である。
【図５】オン時間設定画面の一例を示す図である。
【図６】オフ時間設定画面の一例を示す図である。
【図７】見すぎ防止設定の設定を行う処理のフローチャートである。
【図８】見すぎ防止設定の設定を行う処理のフローチャートである。
【図９】オン時間に対する最小のオフ時間を説明する図である。
【図１０】照度と距離とでオン時間を補正するテーブルである。
【図１１】オン時間を補正する数式において、距離により決まる変数を説明するグラフである。
【図１２】オン時間を補正する数式において、照度により決まる変数を説明するグラフである。
【図１３】見すぎ防止設定実行時のマイコンの処理を示すフローチャートである。
【図１４】見すぎ防止設定実行時のマイコンの処理を示すフローチャートである。
【符号の説明】
【００８８】
１０…アンテナ
１２…半導体メモリ
１３…映像増幅・クロマ回路
１４…無線信号受信部
１５…マイコン
２０…ＯＳＤ回路
２９…受像管
３０…照度センサ
３１…距離センサ
６０…リモコン
６１ａ，６１ｂ，６１ｃ，６１ｄ…カーソル移動キー
６１ｅ…カーソル選択キー
６３…テンキー
６４…メニューキー
６５…無線信号送信部
１００…テレビジョン
ＣＬＫ…発振回路
【図１】
2007228475.tif 000003
【図２】
2007228475.tif 000004
【図３】
2007228475.tif 000005
【図４】
2007228475.tif 000006
【図５】
2007228475.tif 000007
【図６】
2007228475.tif 000008
【図７】
2007228475.tif 000009
【図８】
2007228475.tif 000010
【図９】
2007228475.tif 000011
【図１０】
2007228475.tif 000012
【図１１】
2007228475.tif 000013
【図１２】
2007228475.tif 000014
【図１３】
2007228475.tif 000015
【図１４】
2007228475.tif 000016